(57)【要約】【課題】高濃度塩素水によるろ過機の洗浄運転における、塩素濃度を高めるための添加剤のコストを抑制する。【解決手段】循環ポンプ１２０が作動すると、ろ過機１００の内部において、浴槽と接続された入水端１０１および出水端１０２の間に浴槽水の循環経路が形成される。薬液注入端１０５は、塩素濃度を高めるための薬液を供給するための薬液注入ユニットと接続される。循環ポンプ１２０を作動させたろ過機１００の洗浄運転において、浴槽水が減少されたことを示す所定条件の成立を検知した後、薬液注入端１０５からの薬液の注入が開始される。【選択図】図３
2017148743.tif 000002
【特許請求の範囲】
【請求項１】
浴槽と接続されたろ過機であって、
前記浴槽から前記ろ過機の内部へ浴槽水を導入するための循環ポンプと、
ろ材を内蔵したろ過部と、
前記循環ポンプによって導入された浴槽水に対して塩素濃度を高めるための添加剤を混合するための混合部と、
前記ろ過機の洗浄運転を制御するための制御装置とを備え、
前記制御装置は、前記洗浄運転の開始が指示されると、第１の所定条件が成立するまで前記浴槽内の水量が減少されたことを検知した後に、前記導入された浴槽水へ前記添加剤を混合して前記浴槽水を所定の塩素濃度に制御して、前記ろ過部を含む循環経路に前記所定の塩素濃度の前記浴槽水を通流する洗浄動作を実行する、ろ過機。
【請求項２】
前記導入された浴槽水の経路を切換えるための流路切換部をさらに備え、
前記流路切換部は、
前記導入された浴槽水が第１の方向に沿って前記ろ過部を通過した後に前記浴槽へ戻される第１の経路と、前記導入された浴槽水が前記第１の方向とは逆方向に沿って前記ろ過部を通過した後に前記浴槽へ戻されることなく排出される第２の経路と、前記導入された浴槽水が前記第１の方向に沿って前記ろ過部を通過した後に前記浴槽へ戻されることなく排出される第３の経路とを切換えて形成するように構成され、
前記制御装置は、前記洗浄運転の開始が指示されると、前記第１の所定条件の成立が検知されるまで、前記流路切換部によって前記第２または第３の経路が形成された状態下で前記循環ポンプを作動させる、請求項１記載のろ過機。
【請求項３】
前記導入された浴槽水の経路を切換えるための流路切換部をさらに備え、
前記流路切換部は、
前記導入された浴槽水が第１の方向に沿って前記ろ過部を通過した後に前記浴槽へ戻される第１の経路と、前記導入された浴槽水が前記第１の方向とは逆方向に沿って前記ろ過部を通過した後に前記浴槽へ戻されることなく排出される第２の経路と、前記導入された浴槽水が前記第１の方向に沿って前記ろ過部を通過した後に前記浴槽へ戻されることなく排出される第３の経路とを切換えて形成するように構成され、
前記制御装置は、前記洗浄動作において、前記第１の経路が形成された状態で前記所定の塩素濃度の前記浴槽水を通流させる第１の期間と、前記第２の経路が形成された状態で前記所定の塩素濃度の前記浴槽水を通流させる第２の期間とを設けることによって前記循環経路を形成する、請求項１記載のろ過機。
【請求項４】
前記制御装置は、前記洗浄動作の終了後に前記所定の塩素濃度の浴槽水が前記浴槽から排出された後、第２の所定条件が成立するまで前記浴槽内の水量が増加したことを検知すると、前記循環経路に前記浴槽水を通流させるように前記循環ポンプを作動させる、請求項１〜３のいずれか１項に記載のろ過機。
【請求項５】
前記浴槽には、前記浴槽水を排出するための電磁開閉弁が配設され、
前記制御装置は、前記電磁開閉弁の制御要求を生成可能に構成され、
前記制御装置は、前記洗浄運転の開始が指示されると、前記第１の所定条件の成立が検知されるまで、前記電磁開閉弁の開放を要求する、請求項１または２記載のろ過機。
【請求項６】
前記制御装置は、前記電磁開閉弁の通過流量を検出する流量センサの検出信号を取得可能に構成され、
前記制御装置は、前記流量センサの検出信号に基づいて、前記電磁開閉弁の通過流量の積算値が所定値に達したときに、前記第１の所定条件の成立を検知する、請求項５記載のろ過機。
【請求項７】
前記浴槽には、前記浴槽水を排出するための電磁開閉弁が配設され、
前記制御装置は、前記電磁開閉弁の制御要求を生成可能に構成され、
前記制御装置は、前記洗浄動作の終了後に前記電磁開閉弁の開放を要求するとともに、前記所定の塩素濃度の浴槽水が前記浴槽から排出された後、前記電磁開閉弁の閉止を要求した状態下で第２の所定条件が成立するまで前記浴槽内の水量が増加したことを検知すると、前記循環経路に前記浴槽水を通流させるように前記循環ポンプを作動させる、請求項１〜３のいずれか１項に記載のろ過機。
【請求項８】
前記浴槽には、浴槽水位を検出するための水位センサが配設され、
前記制御装置は、前記水位センサの検出信号を取得可能に構成され、
前記制御装置は、前記水位センサの検出信号に基づいて、前記浴槽水の水位が所定レベルよりも低下したときに、前記第１の所定条件の成立を検知する、請求項１〜６のいずれか１項に記載のろ過機。
【発明の詳細な説明】
【技術分野】
【０００１】
この発明は、ろ過機に関し、より特定的には、ろ過機の洗浄運転に関する。
【背景技術】
【０００２】
浴槽水を循環ろ過する水浄化装置（ろ過機）において、レオジネラ菌等の雑菌の繁殖防止のために、塩素化合物を添加した高濃度塩素水による洗浄運転を定期的に行うことが求められている。
【０００３】
特許第３７９１１５８号公報（特許文献１）には、水浄化装置の洗浄運転として、塩素化合物供給手段によって生成した残留塩素によってろ過手段を逆流洗浄することが記載されている。同様に、特開２００４−２４３１６６号公報（特許文献２）には、浴槽中の雑菌を次亜塩素酸によって殺菌するための洗浄運転について、定期的に逆洗および、逆洗後の洗浄を実行することが記載されている。
【先行技術文献】
【特許文献】
【０００４】
【特許文献１】特許第３７９１１５８号公報
【特許文献２】特開２００４−２４３１６６号公報
【発明の概要】
【発明が解決しようとする課題】
【０００５】
特許文献１，２では、塩素濃度を高めた浴槽水を用いて、逆洗運転を含むろ過機の洗浄運転を行うことが記載されている。この際に、法令等によって、所定の塩素濃度（たとえば、５〜１０（％）程度）の洗浄水を用いて、ろ材を含むろ過機の内部を、洗浄することが求められている。以下では、所定の塩素濃度に制御された浴槽水を用いたろ過機１００の洗浄運転を、「塩素洗浄運転」とも称する。
【０００６】
しかしながら、所定濃度まで塩素濃度を高めるためには、薬液等の添加剤が必要となるため、この添加剤の消費量が増大するとコストが悪化することが懸念される。
【０００７】
この発明はこのような問題点を解決するためになされたものであって、この発明の目的は、高濃度塩素水によるろ過機の洗浄運転における、塩素濃度を高めるための添加剤のコストを抑制することである。
【課題を解決するための手段】
【０００８】
この発明のある局面では、浴槽と接続されたろ過機は、循環ポンプと、ろ材を内蔵したろ過部と、混合部と、ろ過機の洗浄運転を制御するための制御装置とを備える。循環ポンプは、浴槽からろ過機の内部へ浴槽水を導入する。混合部は、循環ポンプによって導入された浴槽水に対して塩素濃度を高めるための添加剤を混合する。制御装置は、洗浄運転の開始が指示されると、第１の所定条件が成立するまで浴槽内の水量が減少されたことを検知した後に、循環ポンプの作動によって導入された浴槽水へ添加剤を混合して浴槽水を所定の塩素濃度に制御して、ろ過部を含む循環経路に所定の塩素濃度の浴槽水を通流する洗浄動作を実行する。
【０００９】
上記ろ過機によれば、浴槽水の水量が減少した後に、添加剤の混合によって所定の塩素濃度に制御された浴槽水を循環させることによって、ろ過部を含むろ過機内部を洗浄することができる。この結果、高濃度塩素水によるろ過機の洗浄運転における、塩素濃度を高めるための添加剤のコストを抑制することができる。
【００１０】
好ましくは、ろ過機は、循環ポンプによって導入された浴槽水の経路を切換えるための流路切換部をさらに備える。流路切換部は、導入された浴槽水が第１の方向に沿ってろ過部を通過した後に浴槽へ戻される第１の経路と、導入された浴槽水が第１の方向とは逆方向に沿ってろ過部を通過した後に浴槽へ戻されることなく排出される第２の経路と、導入された浴槽水が第１の方向に沿ってろ過部を通過した後に浴槽へ戻されることなく排出される第３の経路とを切換えて形成するように構成される。そして、制御装置は、洗浄運転の開始が指示されると、第１の所定条件の成立が検知されるまで、流路切換部によって第２または第３の経路が形成された状態下で循環ポンプを作動させる。
【００１１】
あるいは好ましくは、上記流量切換部を配置した構成において、制御装置は、洗浄動作において、第１の経路が形成された状態で所定の塩素濃度の浴槽水を通流させる第１の期間と、第２の経路が形成された状態で所定の塩素濃度の浴槽水を通流させる第２の期間とを設けることによって循環経路を形成する。
【００１２】
このようにすると、流路切換部によって、第１の経路（ろ過モード）、第２の経路（逆洗モード）および第３の経路（洗浄モード）を切換可能に構成されたろ過機において、塩素濃度制御前における浴槽水を減少させる動作および、所定の塩素濃度の浴槽水の循環による洗浄動作を、適切に実行することができる。
【００１３】
また好ましくは、制御装置は、洗浄動作の終了後に所定の塩素濃度の浴槽水が浴槽から排出された後、第２の所定条件が成立するまで浴槽内の水量が増加したことを検知すると、循環経路に浴槽水を通流させるように循環ポンプを作動させる。
【００１４】
このようにすると、所定の塩素濃度の浴槽水による洗浄運転後における浴槽からの排水後に、循環経路から高濃度塩素残留水を除去するように、ろ過機を運転することができる。
【００１５】
好ましくは、浴槽には、浴槽水を排出するための電磁開閉弁が配設され、制御装置は、電磁開閉弁の制御要求を生成可能に構成される。制御装置は、洗浄運転の開始が指示されると、第１の所定条件の成立が検知されるまで、電磁開閉弁の開放を要求する。このとき、制御装置は、流量センサの検出信号に基づいて、電磁開閉弁の通過流量の積算値が所定値に達したときに、第１の所定条件の成立を検知する。
【００１６】
このようにすると、自動排水のための電磁開閉弁が配設された浴槽に適用されるろ過機において、ろ過機を作動させることなく、塩素濃度制御前における浴槽水を減少させる動作を実現できる。そして、流量センサによって検出された電磁開閉弁からの排水量に応じて、当該浴槽水の減少動作を終了することができる。
【００１７】
また好ましくは、制御装置は、洗浄動作の終了後に、浴槽水を排出するための電磁開閉弁の開放を要求するとともに、所定の塩素濃度の浴槽水が浴槽から排出された後、電磁開閉弁の閉止を要求した状態下で第２の所定条件が成立するまで浴槽内の水量が増加したことを検知すると、循環経路に浴槽水を通流させるように循環ポンプを作動させる。
【００１８】
このようにすると、所定の塩素濃度の浴槽水による洗浄運転後における浴槽からの排水、および、排水後に貯留された浴槽水を用いた高濃度塩素残留水を循環経路から除去するためのろ過機の運転を、自動的に実行することができる。
【００１９】
好ましくは、浴槽には、浴槽水位を検出するための水位センサが配設され、制御装置は、水位センサの検出信号を取得可能に構成される。そして、制御装置は、水位センサの検出信号に基づいて、浴槽水の水位が所定レベルよりも低下したときに、第１の所定条件の成立を検知する。
【００２０】
このようにすると、浴槽水位の検出に基づいて、当該浴槽水の減少動作を適切に終了することができるので、添加剤の混合対象となる浴槽水の水量を一定化させ易くなる。
【発明の効果】
【００２１】
この発明によれば、高濃度塩素水によるろ過機の洗浄運転における、塩素濃度を高めるための添加剤のコストを抑制することができる。
【図面の簡単な説明】
【００２２】
【図１】本発明の実施の形態に従うろ過機が適用される浴場システムの構成を説明する概略図である。
【図２】図１に示された浴槽の水位レベルを説明する概念図である。
【図３】図１に示されたろ過機の構成を説明するブロック図である。
【図４】本発明の実施の形態におけるろ過機における塩素洗浄運転の制御処理を説明するフローチャートである。
【図５】本発明の実施の形態におけるろ過機における塩素洗浄後の後処理運転の制御処理を説明するフローチャートである。
【図６】本発明の実施の形態におけるろ過機におけるタイマ運転の設定例を示す図である。
【図７】本発明の実施の形態に従うろ過機が適用される浴場システムの変形例を説明する概略図である。
【図８】図７に示された浴場システムに適用されるろ過機での洗浄運転の制御処理を説明するフローチャートである。
【図９】図７に示された浴場システムに適用されるろ過機での洗浄運転後の後処理運転の制御処理を説明するフローチャートである。
【図１０】図７に示された浴場システムに適用されるろ過機におけるタイマ運転の設定例を示す図である。
【発明を実施するための形態】
【００２３】
以下に、本発明の実施の形態について図面を参照して詳細に説明する。なお以下では、図中の同一部分および相当部分には同一符号を付して、その説明は原則的に繰返さないものとする。
【００２４】
（ろ過機および浴場システムの構成）
図１は、本発明の実施の形態に従うろ過機が適用される浴場システムの構成を説明する概略図である。
【００２５】
図１を参照して、浴場システム５は、浴槽補給水装置１０と、浴槽５０と、浴槽水をろ過するためのろ過機１００と、薬液注入ユニット３００と、熱源設備４００とを備える。浴場システム５において、浴槽５０は、通常浴および水風呂のいずれの用途で用いることも可能である。通常浴用途の場合には、熱源設備４００は、浴槽水を昇温するための温熱源（たとえば、給湯機や蒸気発生機器）によって構成される。一方で、水風呂用途の場合には、熱源設備４００は、浴槽水を降温するための冷熱源（たとえば、チラー）によって構成される。
【００２６】
浴槽補給水装置１０は、入水管１１からの低温水および、入水管１２からの高温水を受けて、出水管１４から浴槽５０へ浴槽水を供給する。低温水および高温水の混合比率（０〜１００（％））を調整することにより、浴槽５０への出力温度が制御できる。たとえば、入水管１１，１２と接続された混合弁（図示せず）の開度を、浴槽補給水装置１０のマイクロコンピュータ（図示せず）で制御することによって、混合比率は制御できる。
【００２７】
さらに、浴槽補給水装置１０は、浴槽水の水位を制御する機能を有する。具体的には、浴槽５０に設けられた水位センサ５５からの検出信号に応じて、上記マイクロコンピュータが浴槽水の供給を制御することによって、水位制御が実現できる。
【００２８】
なお、出水管１４に流量センサ１６を設けることにより、当該流量センサによる検出流量の積算によって、浴槽５０への供給水量を検出することが可能である。流量センサ１６の検出値は、浴槽補給水装置１０のマイクロコンピュータに入力される。
【００２９】
浴槽５０には、ろ過機１００との間でろ過循環経路を形成するために、出水口５１ａ，５１ｂおよび入水口５２がさらに設けられる。浴槽５０の出水口５１ａ，５１ｂは、ろ過機１００の入水端１０１と接続される。同様に、浴槽５０の入水口５２は、ろ過機１００の出水端１０２と接続される。なお、浴槽５０の出水口５１ａ，５１ｂは、ユーザの操作によって開閉可能な開閉弁５６を経由して、排水経路とも接続されている。開閉弁５６は、通常時（排水時以外）には閉止される。ろ過機１００の運転時には、開閉弁５６が閉状態に維持されることにより、浴槽５０およびろ過機１００の間に浴槽水の循環経路を形成することができる。
【００３０】
図２は、浴槽５０の水位レベルを説明する概念図である。
図２を参照して、水位Ｌ０は、浴槽５０の満水状態に対応する水位である。水位Ｌ１は、浴槽補給水装置１０からの給湯停止水位であり、浴槽補給水装置１０からの給湯は、浴槽水位がＬ１に達すると停止される。水位Ｌ２は、浴槽水位が一旦Ｌ１に達した後に浴槽水が減少したときに、浴槽補給水装置１０からの給湯が再開される水位である。すなわち、浴槽補給水装置１０による水位制御は、浴槽水位がＬ１〜Ｌ２の間となるように実行される。なお、水位自動制御の上限値は、一時的あるいは定常的に、満水水位Ｌ０と同等に設定されてもよい（すなわち、Ｌ１＝Ｌ０）。このようにすると、浴槽５０から湯がオーバーフローする状態となることにより、表面の垢等を排出することができる。
【００３１】
水位Ｌ３，Ｌ４は、ろ過機１００と関連付けて定義される。水位Ｌ３は、ろ過機１００の運転開始条件とされる水位である。すなわち、停止状態のろ過機１００を起動するためには、浴槽水位がＬ３よりも高いことが条件とされる。Ｌ４は、ろ過機１００を運転可能な下限水位に相当する。したがって、ろ過機１００の運転中に水位がＬ４より低下すると、ろ過機１００は自動的に停止される。ろ過機１００が設けられた構成では、水位Ｌ３，Ｌ４は、Ｌ２＞Ｌ３＞Ｌ４となるように設定される。
【００３２】
水位センサ５５は、上記水位Ｌ１〜Ｌ４と浴槽水位との高低関係を検出可能で構成される。たとえば、水位に応じた水圧を検出するための圧力センサによって、水位センサ５５を構成することができる。
【００３３】
再び図１を参照して、ろ過機１００は、浴槽５０と接続された入水端１０１および出水端１０２に加えて、熱源設備４００と接続された入力端１０３および出力端１０４と、薬液注入ユニット３００と接続された薬液入力端１０５と、排水端１０７とをさらに有する。
【００３４】
ろ過機１００に温度調整機能を具備させる場合には、入力端１０３には、熱源設備４００（温熱源または冷熱源）から伝熱媒体が入力される。伝熱媒体は、ろ過機１００の内部の通流後、出力端１０４から熱源設備４００へ戻される。これにより、ろ過機１００および熱源設備４００の間に、伝熱媒体の循環経路を形成することができる。
【００３５】
薬液注入ユニット３００は、ろ過機１００の塩素洗浄運転に用いられる添加剤を供給するためのポンプ３０５を有する。たとえば、添加剤は、高塩素濃度の薬液である。ポンプ３０５から供給された薬液は、薬液入力端１０５からろ過機１００へ入力される。
【００３６】
図３は、ろ過機１００の構成を説明するブロック図である。
図３を参照して、ろ過機１００は、ろ過タンク１１０と、循環ポンプ１２０と、ヘアーキャッチャー１３０と、流路切換弁１４０と、配管１４１〜１４５と、熱交換器１５０と、温度調整弁１６０とを有する。
【００３７】
ろ過タンク１１０は、ろ材１１２を内蔵する。配管１４２は、ろ過タンク１１０内のろ材１１２の上部領域と、流路切換弁１４０との間を接続する。同様に、配管１４３は、ろ過タンク１１０内のろ材１１２の下部領域と、流路切換弁１４０との間を接続する。配管１４３には、温度センサ１６６が配置される。ろ過タンク１１０は「ろ過部」の一実施例に相当する。
【００３８】
配管１４１は、入水端１０１および流路切換弁１４０の間に、循環ポンプ１２０およびヘアーキャッチャー１３０と直列に接続される。配管１４５は、流路切換弁１４０および排水端１０７の間を接続する。
【００３９】
配管１４４は、一端が流路切換弁１４０と接続されるとともに、他端が出水端１０２と接続されるように配置される。ろ過機１００に温度調整機能を具備させる場合には、配管１４４は、熱交換器１５０を通過するように配設される。この場合には、熱交換器１５０の下流側（出水端１０２側）には、温度センサ１６５が配置される。温度センサ１６５，１６６によって浴槽水の検出温度は、コントローラ１９０へ入力される。
【００４０】
さらに、熱交換器１５０は、温度調整弁１６０を経由して、入力端１０３および出力端１０４と接続される。温度調整弁１６０は、コントローラ１９０によって制御される電磁三方弁によって構成されて、熱源設備４００からの伝熱媒体の経路を切換える。具体的には、伝熱媒体の経路は、入力端１０３から熱交換器１５０を通過して出力端１０４へ流れる経路１６１と、入力端１０３から熱交換器１５０をバイパスして出力端１０４へ流れる経路１６２との間で切替えられる。
【００４１】
温度調整弁１６０によって経路１６１が選択されると、配管１４４を通過する浴槽水と、熱源設備４００からの伝熱媒体との間で熱交換が実行される。一方で、温度調整弁１６０によって経路１６２が選択されると、浴槽水および伝熱媒体の間の熱交換は非実行とされる。このように、コントローラ１９０による温度調整弁１６０の制御によって、浴槽水および伝熱媒体の間の熱交換の実行および非実行を切換える機能が実現される。
【００４２】
循環ポンプ１２０は、コントローラ１９０によって制御されて、作動時には、入水端１０１から浴槽水を吸入する。ヘアーキャッチャー１３０は、浴槽水の入水端１０１と接続される。吸入された浴槽水は、ヘアーキャッチャー１３０および配管１４１を経由して、ろ過機１００内に導入される。
【００４３】
流路切換弁１４０は、配管１４１〜１４５の間に選択的に流路を形成するための、電磁五方弁によって形成される。流路切換弁１４０は、コントローラ１９０によって制御される。流路切換弁１４０の制御によって、ろ過機１００内での浴槽水の循環経路が切換えられる。すなわち、流路切換弁１４０は「流路切換部」の一実施例に対応する。
【００４４】
配管１４１は、薬液入力端１０５とさらに接続される。塩素洗浄運転の際には、薬液注入ユニット３００からの薬液（添加剤）が薬液入力端１０５を経由して注入されることにより、循環される浴槽水の塩素濃度を高めることができる。すなわち、配管１４１と接続された薬液入力端１０５によって「混合部」の一実施例を構成することができる。
【００４５】
また、配管１４３に対して、浴槽水の塩素濃度を検出するための塩素濃度検出部１７０が接続される。塩素濃度検出部１７０は、フィルタ１７１、水量センサ１７２および、塩素センサ１７３を有する。水量センサ１７２および塩素センサ１７３による検出信号は、コントローラ１９０へ入力される。
【００４６】
コントローラ１９０は、代表的には、マイクロコンピュータによって構成されて、リモートコントローラ１９５（以下、「リモコン」とも表記する）に入力された運転指令に従って、ろ過機１００の動作を制御する。具体的には、コントローラ１９０は、循環ポンプ１２０、流路切換弁１４０、温度調整弁１６０の制御信号を生成して出力する。
【００４７】
運転指令は、ろ過機１００の作動および停止指令、ならびに、作動時の運転モードの選択指令を含む。これらの指令は、時刻スケジュールを予め指定する、いわゆるタイマ運転の態様で予約入力されてもよい。ろ過機１００は、熱交換器１５０を用いた浴槽水の温度調整機能を有する。温度調整機能を有するろ過機１００においては、運転指令は、浴槽水の目標温度Ｔｒを含む。
【００４８】
また、コントローラ１９０は、温度センサ１６５，１６６による検出温度の入力を受ける。さらに、コントローラ１９０は、浴槽補給水装置１０との通信によって、浴槽５０内の水位を示す信号Ｓｌｖを取得することができる。あるいは、水位センサ５５（図１）の出力信号を、コントローラ１９０へも入力する構成とすることも可能である。これにより、浴槽水位に応じて、停止状態のろ過機１００の運転を不許可としたり、運転中のろ過機１００を停止したりすることができる。また、コントローラ１９０は、流量センサ１６の検出値についても、浴槽補給水装置１０との通信によって、取得することが可能である。
【００４９】
さらに、コントローラ１９０は、塩素センサ１７３によって検出された塩素量を水量センサ１７２によって検出された水量で除算することにより、ろ過タンク１１０通過後の浴槽水中の塩素濃度を検出することができる。洗浄運転中には、検出された塩素濃度に基づいて、薬液入力端１０５から浴槽水への薬液の混合の実行／停止を切換えることによって、浴槽水の塩素濃度を制御することができる。具体的には、検出された塩素濃度に基づいて、薬液注入ユニット３００に対して薬液の注入およびその停止（すなわち、ポンプ３０５の作動および停止）を要求することによって、塩素濃度の制御を実現できる。
【００５０】
（ろ過機の動作）
次に、ろ過機１００の動作について説明する。
【００５１】
ろ過機１００の動作モードは、「ろ過モード」と、「逆洗モード」と、「洗浄モード」とを有する。
【００５２】
ろ過モードは、浴槽水をろ過循環するために、通常連続的に実行される。ろ過運転モードでは、循環ポンプ１２０が作動するとともに、流路切換弁１４０は、配管１４１および１４２の間、ならびに、配管１４３および１４４の間に流路を形成するように制御される。これにより、入水端１０１から吸入された浴槽水が、ヘアーキャッチャー１３０、循環ポンプ１２０、配管１４１、および配管１４２を経由して、ろ過タンク１１０内のろ材１１２の上部に導入される。すなわち、浴槽水は、ヘアーキャッチャー１３０により異物（塵や髪の毛等）を除去された後、ろ材１１２の通過によってろ過される。さらに、ろ過後の浴槽水は、配管１４３、配管１４４、熱交換器１５０を経由して、出水端１０２へ出力されて、浴槽５０（入水口５２）へ戻される。これにより、ろ過機１００および浴槽５０に、浴槽水の循環経路が形成される。すなわち、ろ過モードにおける浴槽水の経路は「第１の経路」に相当する。
【００５３】
なお、ろ過モードでは、熱交換器１５０を用いて、目標温度Ｔｒに従った温度調整制御がさらに実行される。具体的には、温度センサ１６６の検出温度Ｔｗに基づいて、温度調整弁１６０の制御によって、熱交換器１５０における熱交換の実行および非実行を切換えることにより、ろ過機１００によって循環される浴槽水の温度を制御することができる。
【００５４】
すなわち、熱源設備４００として温熱源が接続された構成では、浴槽水の温度が目標温度Ｔｒに対して低下したときに、熱交換の実行によって浴槽水を昇温できる。この結果、目標温度Ｔｒを４０℃程度に設定することで、通常浴用途に適した温度領域に浴槽水の温度を維持できる。
【００５５】
反対に、熱源設備４００として冷熱源が接続された構成では、浴槽水の温度が目標温度Ｔｒに対して上昇したときに、熱交換の実行によって浴槽水を降温できる。この結果、目標温度Ｔｒを１５〜２０℃程度に設定することで、水風呂用途に適した温度領域に、浴槽水の温度を維持できる。
【００５６】
逆洗モードは、ろ過タンク１１０に溜まった汚れを排出するために実行される。逆洗運転モードでは、循環ポンプ１２０が作動するとともに、流路切換弁１４０は、配管１４１および１４３の間、ならびに、配管１４２および１４５の間に流路を形成するように制御される。これにより、入水端１０１から吸入された浴槽水は、ヘアーキャッチャー１３０、循環ポンプ１２０、配管１４１、および配管１４３を経由して、ろ過タンク１１０内のろ材１１２の下部へ導入される。そして、ろ過運転時とは逆方向の通流によってろ材１１２が舞い上げられることにより、ろ材１１２内の汚れが浴槽水によって排出される。ろ材１１２を逆方向に通流した浴槽水は、配管１４２および配管１４５を経由して、浴槽５０へ戻されることなく、排水端１０７から排出される。すなわち、逆洗モードにおける浴槽水の経路は「第２の経路」に相当する。
【００５７】
洗浄モードは、主に、逆洗運転で生じた汚れた水を排出するために実行される。洗浄モードでは、循環ポンプ１２０が作動するとともに、流路切換弁１４０は、配管１４１および１４２の間、ならびに、配管１４３および１４５の間に流路を形成するように制御される。これにより、入水端１０１から吸入された浴槽水は、ろ過タンク１１０内でろ材１１２の上部から下部へ通流し、ろ材１１２通過後の浴槽水は、配管１４３、および配管１４５を経由して、浴槽５０へ戻されることなく、排水端１０７から排出される。たとえば、逆洗モード後に洗浄モードを実行すると、逆洗運転によって舞い上がったろ材１１２を締めることができる。洗浄モードにおける浴槽水の経路は「第３の経路」に相当する。
【００５８】
（ろ過機の塩素洗浄運転）
ろ過機１００の連続運転により、ろ材１１２には浴槽水から除去された汚れや不純物が蓄積される。したがって、ろ材中での雑菌の繁殖を防止するために、定期的にろ過機の洗浄運転を行なうことが求められる。特許文献１および２にも記載されるように、この洗浄運転には、逆洗モードによるろ材１１２の洗浄が含まれることが好ましい。この際に、法令等によって、所定の塩素濃度（たとえば、５〜１０（％）程度）の洗浄水を用いた塩素洗浄運転の実行が必要とされる。
【００５９】
ろ過機１００の塩素洗浄運転時には、ろ過機１００内を通流される浴槽水の塩素濃度を高めるために、薬液注入ユニット３００（図１）からの薬液（添加剤）が、薬液入力端１０５を経由して循環水に注入される。この際に、薬液（添加剤）の消費量が増大すると、ろ過機１００の運転コストが悪化する。したがって、このため、本実施の形態に従うろ過機では、洗浄運転における添加剤の消費量を抑制するために、以下に説明するような洗浄運転を実行する。
【００６０】
図４は、本発明の実施の形態におけるろ過機における洗浄運転の制御処理を説明するフローチャートである。図４に示された制御処理は、コントローラ１９０によって実行される。すなわち、コントローラ１９０によって「制御装置」の一実施例を構成することができる。
【００６１】
図４を参照して、コントローラ１９０は、ステップＳ１００により、塩素洗浄運転の開始が指示されたかどうかを判定する。塩素洗浄運転の開始は、リモコン１９５に設けられた操作ボタン（図示せず）の操作によって指示されてもよく、予め開始タイミング（たとえば、曜日および時刻）をリモコン１９５へ予約入力するタイマ運転によって指示されてもよい。あるいは、一日毎、または、所定日数毎等、所定時間が経過する毎に、塩素洗浄運転の開始が自動的に指示されてもよい。
【００６２】
すなわち、ステップＳ１００は、ユーザによるスイッチ操作の検知、または、タイマ運転で指定された洗浄運転の開始時刻の到来の検知に応じて、ＹＥＳ判定とすることができる。塩素洗浄運転の開始が指示されると（Ｓ１００のＹＥＳ判定時）、コントローラ１９０は、塩素洗浄運転のための一連の制御処理を実行する。一方で、塩素洗浄運転の開始指示が検知されないとき（Ｓ１００のＮＯ判定中）には、ステップＳ１１０以降の制御処理は起動されない。
【００６３】
コントローラ１９０は、塩素洗浄運転が開始されると、ステップＳ１１０により、浴槽水を減少させるための排水動作を実行する。排水動作は、ろ過機１００を逆洗モードあるいは洗浄モードによって作動させることによって実行することができる。図３で説明したように、逆洗モードおよび洗浄モードでは、浴槽５０から導入された浴槽水が、ろ材１１２を順方向（洗浄モード）または逆方向（逆洗モード）に通過した後、浴槽５０に戻されることなく排水端１０７から排出される。このため、浴槽５０の水量を減少させることができる。
【００６４】
コントローラ１９０は、ステップＳ１１０による排水動作の実行中には、ステップＳ１１０により、浴槽水の減少に係る所定条件が成立したかどうかを判定する。たとえば、ステップＳ１２０では、水位センサ５５の出力信号Ｓｌｖに基づいて、浴槽５０の水位がＬ３よりも低下したときに、所定条件が成立したことを判定できる。一方で、浴槽水位がＬ３よりも高いときには、所定条件は不成立であると判定される。
【００６５】
コントローラ１９０は、浴槽水の減少に係る所定条件が成立すると（Ｓ１２０のＹＥＳ判定時）、ステップＳ１３０に処理を進めて、塩素濃度を所定値まで高めるための制御を開始する。コントローラ１９０は、塩素濃度制御中は、塩素濃度検出部１７０を用いて検出された、浴槽水の塩素濃度が所定範囲（たとえば、５〜１０（％））となるように、薬液注入ユニット３００（図１）に対して、薬液（添加剤）の供給およびその停止を要求する。ステップＳ１３０では、ろ過機１００がろ過モードで動作した状態で、塩素濃度制御が実行される。
【００６６】
コントローラ１９０は、ステップＳ１４０により、浴槽水の塩素濃度が所定濃度まで上昇したかどうかを判定する。コントローラ１９０は、塩素濃度が上昇すると（Ｓ１４０のＹＥＳ判定時）、ステップＳ１５０により、所定パターンの洗浄動作を実行する。
【００６７】
たとえば、洗浄動作では、所定濃度に制御された浴槽水を循環させるろ過モードにより、ろ過機１００の内部、および、ろ過機１００および浴槽５０を接続する配管内を、所定時間（たとえば、２時間程度）にわたって高濃度塩素水によって循環洗浄する。さらに、ろ過モードによる循環洗浄後、逆洗モードにて、高濃度塩素水によるろ材１１２の逆洗を所定時間実行する。
【００６８】
なお、洗浄動作のパターンは、上述のような、ろ過モードおよび逆洗モードの組み合わせに限定されるものではなく、高濃度塩素水を用いて、ろ過モード、逆洗モードおよび、洗浄モードの少なくともいずれかでろ過機１００を動作させることによって、適宜実現することができる。
【００６９】
一方で、コントローラ１９０は、塩素濃度が上昇するまでの間（Ｓ１４０のＮＯ判定時）、洗浄動作（Ｓ１５０）の開始を待機する。すなわち、ステップＳ１３０によるろ過モードの動作時間は、ステップＳ１５０でのろ過モードによる洗浄時間にはカウントされない。この結果、ステップＳ１５０の洗浄運転では、所定の塩素濃度に制御された浴槽水を用いた所定の洗浄時間が確保される。
【００７０】
コントローラ１９０は、ステップＳ１６０により、洗浄動作（Ｓ１５０）の所定パターンが終了したか否かを判定し、所定パターンが終了するまで（Ｓ１６０のＮＯ判定中）、洗浄動作（Ｓ１５０）を継続する。
【００７１】
なお、ステップＳ１５０の実行中においても、コントローラ１９０は、塩素濃度制御を継続的に実行することができる。すなわち、洗浄動作（Ｓ１５０）中に、塩素濃度の低下が検知されると、コントローラ１９０が薬液注入ユニット３００（図１）に対して、薬液（添加剤）の供給を要求することができる。これにより、所定の塩素濃度に制御された浴槽水を用いて洗浄動作を実行することができる。
【００７２】
コントローラ１９０は、洗浄動作（Ｓ１５０）の所定パターンが終了すると（Ｓ１６０のＹＥＳ判定時）、ステップＳ１７０により、高濃度塩素水による洗浄の終了をユーザに報知する。たとえば、リモコン１９５から、視覚または聴覚によって感知可能な態様で、ユーザに当該終了を知らせるためのメッセージ（画面表示または音声）が出力される。高濃度塩素水による洗浄の終了後には、高濃度塩素水の排出が必要となるので、ステップＳ１７０では、浴槽５０からの排水（すなわち、開閉弁５６の開放操作）をユーザに促すメッセージがさらに出力されることが好ましい。
【００７３】
これにより、本実施の形態に従うろ過機によれば、浴槽水の水量を減少させてから塩素濃度を上昇させるための薬剤（添加物）を混合させて洗浄運転が実行される。このため、高濃度塩素水によるろ過機の洗浄運転に用いられる添加剤（薬液）の消費量を抑制できるので、ろ過機１００の運転コストを改善することができる。
【００７４】
さらに、浴槽水位（水位センサ５５の検出信号）に基づいて、排水動作を終了させることにより、添加剤（薬液）の混合対象となる浴槽水の水量を一定化させ易くなる。また、浴槽水位の低下により、塩素洗浄運転の実行中に、ユーザが入浴のために誤って浴槽５０に入ることを防止する効果も期待できる。
【００７５】
図５には、本発明の実施の形態におけるろ過機における塩素洗浄後の後処理運転の制御処理を説明するフローチャートである。図５に示された後処理運転は、塩素洗浄運転時における浴槽水の循環経路から、高濃度塩素残留水を除去するために実行される。
【００７６】
図５を参照して、コントローラ１９０は、ステップＳ２００により塩素洗浄運転が終了されたか否かを判定する。たとえば、ステップＳ１７０（図４）が実行されると、ステップＳ２００がＹＥＳ判定とされる。
【００７７】
コントローラ１９０は、塩素洗浄運転の終了が検知されると（Ｓ２００のＹＥＳ判定時）、ステップＳ２１０により、塩素洗浄運転の終了後に浴槽５０からの排水に係る所定条件が成立したか否かを判定する。たとえば、ステップＳ２１０では、水位センサ５５の出力信号Ｓｌｖに基づいて、浴槽５０の水位がＬ４よりも低下し、かつ、それからの経過時間が排水に要する所定時間を超えたときに、所定条件が成立したことを判定できる。
【００７８】
コントローラ１９０は、浴槽５０からの排水に係る所定条件が成立すると（Ｓ２１０のＹＥＳ判定時）、ステップＳ２２０に処理を進めて、浴槽補給水装置１０による浴槽５０への給水を要求するメッセージを、リモコン１９５等によって出力する。この際には、開閉弁５６の閉止操作を促すメッセージを併せて出力することが好ましい。
【００７９】
コントローラ１９０は、ステップＳ２２０によるメッセージ出力後、ステップＳ２３０に処理を進めて、浴槽水の増加に関する所定条件が成立したか否かを判定する。たとえば、ステップＳ２３０では、水位センサ５５の出力信号Ｓｌｖに基づいて、浴槽５０の水位が、ろ過機１００の運転が可能となるＬ３まで上昇したときに、所定条件が成立したことを判定できる。あるいは、流量センサ１６（図１）による検出流量の積算値に基づいて、塩素洗浄運転終了時以降での浴槽補給水装置１０から浴槽５０への供給水量が、浴槽５０の底面積と水位Ｌ３との積に相当する判定値を超えたことに応じて、所定条件が成立したことを判定してもよい。
【００８０】
コントローラ１９０は、浴槽水の増加に関する所定条件が成立すると（Ｓ２３０のＹＥＳ判定時）、ステップＳ２４０に処理を進めて、ろ過機１００をろ過モードで動作させる。
【００８１】
コントローラ１９０は、ステップＳ２５０により、ろ過モードでの動作開始からの経過時間を所定時間Ｔ１（たとえば、５〜１０分程度）と比較する。経過時間がＴ１に達するまでの間（Ｓ２５０のＮＯ判定中）、ろ過モードでの動作が継続されて、浴槽補給水装置１０から新たに供給された浴槽水が、ろ過機１００の内部、および、ろ過機１００および浴槽５０を接続する配管内を循環する。これにより、浴槽水の循環経路において、塩素洗浄運転による高濃度塩素残留水を除去することができる。
【００８２】
コントローラ１９０は、ステップＳ２４０によるろ過モードが所定時間Ｔ１確保されると（Ｓ２５０のＹＥＳ判定時）、ステップＳ２６０により、塩素洗浄運転の後処理運転が正常に終了したことをユーザに報知する。たとえば、ステップＳ１７０と同様に、当該情報をユーザに知らせるためのメッセージ（画面表示または音声）が、リモコン１９５から出力される。さらに、後処理運転に用いられた浴槽水には、高濃度塩素残留水によって塩素濃度が通常より高められているため、ステップＳ２６０では、浴槽５０からの排水をユーザに促すメッセージがさらに出力されることが好ましい。
【００８３】
さらに、コントローラ１９０は、ステップＳ２１５により、塩素洗浄運転の終了が検知されてから（Ｓ２００のＹＥＳ判定時）の経過時間を所定時間Ｔ２と比較する。そして、所定時間Ｔ２待機しても、ステップＳ２１０の所定条件が成立せず、浴槽５０からの排水が行われない場合には、ステップＳ２７０に処理を進めて、後処理運転が正常に終了しなかったことをユーザに報知するための異常メッセージを出力して、制御処理を終了する。
【００８４】
同様に、コントローラ１９０は、ステップＳ２３５により、塩素洗浄運転の終了後における浴槽５０からの排水に係る所定条件が成立してから（Ｓ２１０のＹＥＳ判定時）の経過時間を所定時間Ｔ３と比較する。そして、所定時間Ｔ３待機しても、ステップＳ２３０の所定条件が成立せず、ろ過機１００を動作させることができない場合には、ステップＳ２７０に処理を進めて、後処理運転が正常に終了しなかったことをユーザに報知するための異常メッセージを出力して、制御処理を終了する。
【００８５】
このようにすると、高濃度塩素水による塩素洗浄運転の終了後に、高濃度塩素残留水を排除する後処理運転を実行することによって、配管等の腐食を防止することができる。特に、当該後処理運転を、ユーザガイダンスおよびろ過機１００の自動運転の組み合わせによって、適切に実行することができる。
【００８６】
図６には、本発明の実施の形態におけるろ過機におけるリモコン１９５によって入力可能なタイマ運転の設定例が示される。
【００８７】
図６を参照して、たとえば、リモコン１９５を用いて、曜日および時刻の指定を入力することによって、ろ過機１００の運転タイミングを指定することができる。
【００８８】
図６の例では、浴場システム５の使用態様として、水曜日を休日として、その他の各曜日では５〜２３時の間を営業時間として、ろ過機１００をろ過モードで動作させるろ過運転を実行するように、タイマ予約がなされている。
【００８９】
また、営業時間の一部では、ろ過機１００を完全な連続動作ではなく、一定期間の休止を挟みながら間欠的にろ過モードで動作させる「エコ運転」を適用するように、タイマ予約を実行することもできる。図６の例では、入浴者の少ない、月曜日、火曜日、および、木曜日の７〜１５時の間、エコ運転が適用されるように、タイマ予約がなされている。
【００９０】
さらに、日曜日および金曜日には、２３時から逆洗運転の起動がタイマ予約されている。たとえば、逆洗運転では、ろ過機１００は、逆洗モードで所定時間（たとえば、１０〜１５分程度）動作した後、洗浄モードでさらに所定時間（たとえば１０分程度）動作するように、コントローラ１９０によって自動運転される。
【００９１】
また、休日の前日の営業時間終了後において、図６の例では、火曜日の２３時から、上述の塩素洗浄運転の起動がタイマ予約されている。これにより、火曜日の２３時には、図４のステップＳ１００がＹＥＳ判定とされることによって、ろ過機１００の塩素洗浄運転が、コントローラ１９０によって自動的に実行される。さらに、洗浄運転の終了後には、図５に示した後処理運転を実行することが可能である。
【００９２】
（浴場システムの構成の変形例）
図７は、本発明の実施の形態に従うろ過機１００が適用される浴場システムの変形例を説明するブロック図である。
【００９３】
図７を参照して、変形例に従う浴場システム５♯は、図１に示された浴場システム５と比較して、浴槽５０からの排水経路に、開閉弁５６と直列に接続された電磁開閉弁５７がさらに配置される点で異なる。さらに、電磁開閉弁５７の通過水量を検出するための流量センサ５８が設けられている。流量センサ５８の検出値は、浴槽補給水装置１０および／またはろ過機１００（コントローラ１９０）へ入力される。したがって、コントローラ１９０は、流量センサ５８の検出値について、流量センサ５８から直接、あるいは、浴槽補給水装置１０のマイクロコンピュータ（図示せず）を経由して間接的に取得可能である。
【００９４】
電磁開閉弁５７は、コントローラ１９０からの要求に応じて開閉制御可能である。すなわち、電磁開閉弁５７は、コントローラ１９０からの制御指令によって直接的に開閉制御されてもよく、コントローラ１９０からの要求に応じた浴槽補給水装置１０（マイクロコンピュータ）からの制御指令によって開閉制御されてもよい。
【００９５】
浴場システム５♯では、開閉弁５６は、電磁開閉弁５７の故障時のバックアップ用途として設けられる。すなわち、開閉弁５６は、電磁開閉弁５７の正常時（非故障時）には、開放状態に維持される。これにより、図７の構成では、電磁開閉弁５７によって、浴槽５０からの排水を自動的に実行することができる。
【００９６】
したがって、図７に示された浴場システム５♯に適用されたろ過機１００では、洗浄運転および後処理運転について、電磁開閉弁５７を用いて、さらに自動化することが可能である。
【００９７】
図８は、浴場システム５♯に適用されるろ過機での洗浄運転の制御処理を説明するフローチャートである。
【００９８】
図８を図４と比較して、浴場システム５♯に適用されるろ過機の洗浄運転では、図４と同様のステップＳ１００〜Ｓ１６０の処理後に、ステップＳ１７０に代えて、ステップＳ２７０を実行する。
【００９９】
なお、ステップＳ１１０の排水動作では、ろ過機１００を逆洗モードあるいは洗浄モードによって作動させることの他、電磁開閉弁５７の開放によって浴槽５０から排水を行うことも可能である。この場合には、ステップＳ１１０では、コントローラ１９０は、電磁開閉弁５７の開放要求を生成する。すなわち、図７の浴場システム５♯への適用時には、ろ過機１００を作動させることなく、浴槽５０の水量を減少させる排水動作を実行することも可能である。
【０１００】
また、ステップＳ１２０での浴槽水の減少に係る所定条件について、流量センサ５８の検出値に基づいて判定することも可能である。たとえば、ステップＳ１１０において、電磁開閉弁５７の開放要求を生成した場合には、当該要求の生成後における流量センサ５８による流量検出値の積算値が判定値を超えたときに、当該所定条件が成立したことを判定できる。
【０１０１】
すなわち、コントローラ１９０は、洗浄動作（Ｓ１５０）の所定パターンが終了すると（Ｓ１６０のＹＥＳ判定時）、ステップＳ２７０より、電磁開閉弁５７の開放を要求する。これに応じて、電磁開閉弁５７が開放されることにより、洗浄運転に用いられた高濃度塩素水が、浴槽５０から自動的に排水される。
【０１０２】
そして、コントローラ１９０は、図９のフローチャートに従って、洗浄運転後の後処理運転を実行する。
【０１０３】
図９を図５と比較して、コントローラ１９０は、ステップＳ２７０が実行されると、塩素洗浄運転の終了を検知して、ステップＳ２００をＹＥＳ判定とする。
【０１０４】
さらに、コントローラ１９０は、ステップＳ２１０では、ステップＳ２７０による電磁開閉弁５７の開放からの経過時間が、浴槽５０からの排水に要する時間に相当する所定時間を超えたときに、所定条件（浴槽５０からの排水）が成立したと判定することができる。あるいは、水位センサ５５および／または流量センサ５８の出力信号をさらに組み合わせて、より確実に排水の完了を検知できるように、ステップＳ２１０での所定条件を定めることも可能である。
【０１０５】
また、コントローラ１９０は、浴槽５０からの排水に係る所定条件が成立すると（Ｓ２１０のＹＥＳ判定時）、図５のステップＳ２２０に代えて、ステップＳ２８０，Ｓ２９０の処理を実行する。コントローラ１９０は、ステップＳ２８０では、電磁開閉弁５７の閉止を要求する。そして、コントローラ１９０は、電磁開閉弁５７の閉止後（Ｓ２８０）、ステップＳ２９０により、浴槽補給水装置１０に対して、浴槽５０への給水開始を要求する。これにより、浴槽補給水装置１０からの給水によって、浴槽５０の水位が上昇する。
【０１０６】
コントローラ１９０は、ステップＳ２９０によって浴槽水の供給要求を生成した後、図５と同様のステップＳ２３０により、浴槽水の増加に関する所定条件が成立したか否かを判定する。そして、コントローラ１９０は、浴槽水の増加に関する所定条件が成立すると（Ｓ２３０のＹＥＳ判定時）、図５と同様のステップＳ２４０およびＳ２５０により、ろ過機１００をろ過モードで動作させることによって、塩素洗浄運転による高濃度塩素残留水を除去する。
【０１０７】
コントローラ１９０は、ろ過モードが所定時間Ｔ１確保されると（Ｓ２５０のＹＥＳ判定時）、ステップＳ３００により、電磁開閉弁５７の開放要求を生成して、後処理運転に用いられた浴槽水を、浴槽５０から自動的に排水する。
【０１０８】
さらに、コントローラ１９０は、ステップＳ２６０により、塩素洗浄運転の後処理運転が正常に終了したことをユーザに報知する。このように、浴場システム５♯に適用されるろ過機では、ステップＳ２６０による正常終了時には、塩素洗浄運転および後処理運転の一連が、自動的に実行されることになる。なお、図９の制御処理においても、ステップＳ２１５，Ｓ２３５により、後処理運転の異常終了を検知することが可能である。
【０１０９】
したがって、図７に示された浴場システム５♯に適用されたろ過機では、塩素洗浄運転および後処理運転における浴槽５０の給排水を、電磁開閉弁５７の開閉制御を通じて自動的に実行することができる。この結果、本実施の形態に従うろ過機による、添加剤（薬液）の消費量を抑制した塩素洗浄運転が、後処理運転も含めて自動化できるので、ユーザ利便性が向上する。
【０１１０】
図１０には、浴場システム５♯に適用されたろ過機１００のタイマ運転の設定例が示される。
【０１１１】
図１０を図６と比較して、電磁開閉弁５７が設けられた浴場システム５♯では、図６で説明した各種のタイマ運転に加えて、浴槽５０からの排水運転についても、タイマ予約することができる。図１０の例では、日曜日および金曜日において、営業時間終了後の２３時１０分に排水運転を実行するように、タイマ予約がなされている。
【０１１２】
この結果、日曜日または金曜日の２３時１０分になると、コントローラ１９０が電磁開閉弁５７の開放要求を生成することによって、浴槽５０からの排水を自動的に実行することができる。
【０１１３】
なお、図３に示したろ過機の構成は一例に過ぎず、循環ポンプの作動によってろ過部を通流する浴槽水の循環経路を形成するろ過機において、塩素洗浄運転時に添加剤（薬液）を混合する態様の構成であれば、本発明を共通に適用することができる。特に、図１および図３での例示では、ろ過機１００が温度調整制御のための要素を具備する構成を例示したが、温度調整制御機能を具備しないろ過機に対しても、本実施の形態に従う塩素洗浄運転を同様に適用可能である点について、確認的に記載する。
【０１１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１５】
５  浴場システム、１０  浴槽補給水装置、１１，１２  入水管、１４  出水管、１６  流量センサ（浴槽補給水装置）、５０  浴槽、５１ａ，５１ｂ  出水口、５２  入水口、５５  水位センサ、５６  開閉弁、５７  電磁開閉弁、５８  流量センサ（電磁開閉弁による排水）、１００  ろ過機、１０１  入水端、１０２  出水端、１０３  入力端、１０４  出力端、１０５  薬液入力端、１０７  排水端、１１０  ろ過タンク、１１２  ろ材、１２０  循環ポンプ、１３０  ヘアーキャッチャー、１４０  流路切換弁、１４１〜１４５  配管、１５０  熱交換器、１６０  温度調整弁、１６１，１６２  経路（伝熱媒体）、１６５，１６６  温度センサ、１７０  塩素濃度検出部、１７１  フィルタ、１７２  水量センサ、１７３  塩素センサ、１９０  コントローラ、１９５  リモートコントローラ、３００  薬液注入ユニット、３０５  ポンプ、４００  熱源設備、Ｌ０〜Ｌ４  水位、Ｓｌｖ  出力信号（水位センサ）、Ｔ１〜Ｔ３  所定時間。
【図１】
2017148743.tif 000003
【図２】
2017148743.tif 000004
【図３】
2017148743.tif 000005
【図４】
2017148743.tif 000006
【図５】
2017148743.tif 000007
【図６】
2017148743.tif 000008
【図７】
2017148743.tif 000009
【図８】
2017148743.tif 000010
【図９】
2017148743.tif 000011
【図１０】
2017148743.tif 000012